(57)【要約】【課題】構造を簡素化することによって、ディスプレイの厚みを有効に薄くする液晶ディスプレイの光源投射構造を提供する。【解決手段】液晶ディスプレイの光源投射構造は、発光体が納置体内に均一に設置され、その納置体には関連光学膜片を貼り付けた透光層が設置される。その透光層上には複数の調光器が形成され、且つその調光器は透光層と一体で成形される。これらを通過した光線は屈折及び反射作用を生み、等しく各発光体の光源から発光し、且つ拡散板の設置を省くことによって、有効に薄型を実現する。【選択図】図２
0003107540.tif 000002
【実用新案登録請求の範囲】
【請求項１】
各発光体を均一に納置体内に設置する液晶ディスプレイの光源投射構造において、
納置体には、一体の透光層が設置され、その透光層上には複数の調光器が設置され、通過した光源は屈折及び反射して各発光体の光源を発光することを特徴とする液晶ディスプレイの光源投射構造。
【請求項２】
前記調光器は、透光層表面の直線型凹溝もしくは直線型凸条から構成されることを特徴とする請求項１記載の液晶ディスプレイの光源投射構造。
【請求項３】
前記調光器は、透光層表面の円弧型凹溝もしくは円弧型凸条から構成されることを特徴とする請求項１記載の液晶ディスプレイの光源投射構造。
【請求項４】
前記凹溝もしくは凸条は、U字型もしくはV字型であることを特徴とする請求項２記載の液晶ディスプレイの光源投射構造。
【請求項５】
前記円弧型凹溝もしくは円弧型凸条は、U字型もしくはV字型であることを特徴とする請求項３記載の液晶ディスプレイの光源投射構造。
【請求項６】
前記調光器は、透光層表面の凹凸点から構成されることを特徴とする請求項１記載の液晶ディスプレイの光源投射構造。
【請求項７】
前記凹凸点は、レーザー、プレス、切断、噴砂、プリント、エッチング方式で製造されることを特徴とする請求項６記載の液晶ディスプレイの光源投射構造。
【請求項８】
前記各調光器は、その間隔が連続型もしくは非連続型であることを特徴とする請求項１記載の液晶ディスプレイの光源投射構造。
【請求項９】
前記納置体は、透光材から構成され、納置体の底層には反射体が設置されることを特徴とする請求項１記載の液晶ディスプレイの光源投射構造。
【考案の詳細な説明】
【技術分野】
【０００１】
本考案は、液晶ディスプレイの光源投射構造に関するもので、構造を簡素化して液晶ディスプレイの厚みを有効に薄くする。
【背景技術】
【０００２】
図１に示すのは、公知の光源投射構造指示図で、そのうち、液晶ディスプレイは、反射カバー10の内部に平均して発光体20が設置され、且つ反射カバー10の開口箇所には下拡散片、プリズム片、偏光片(若しくは上拡散片)の順に構成された光学膜片30及び液晶面板40が設置され、発光体20からの光源が発光する。
【０００３】
また反射カバー10は、各発光体20の光源を液晶面板40の方向へ投射し、すべての液晶面板40各部位の輝度を一致させる。実際に操作する時、発光体20の設置位置は反射カバー10より液晶面板40に近くなるため、各発光体20の大部分の光源は直接液晶面板40の方向へ投射され、液晶面板40は各発光体20の設置部位置で相対して光の紋を形成してしまう。
【０００４】
このため、反射カバー10と光学膜片30の間に拡散板50を敷き、拡散板50を通過した光が拡散した後、液晶面板40の方向へ射出し、各発光体20から発生する光の紋を消す。しかしながら、これらの構造は、液晶ディスプレイの部品が複雑で、且つディスプレイの厚みも厚くなってしまう。
【考案の開示】
【考案が解決しようとする課題】
【０００５】
解決しようとする問題点は、ディスプレイ部品が複雑で、ディスプレイが厚くなり、薄型化に対応できない点である。
【課題を解決するための手段】
【０００６】
本考案は、発光体が納置体内に均一に設置され、その納置体には関連光学膜片を貼り付けた透光層が設置される。その透光層上には複数の調光審が形成され、且つその調光器は透光層と一体で成形される。これらを通過した光線は屈折及び反射して等しく各発光体の光源から発光することを最も主要な特徴とする。
【考案の効果】
【０００７】
本考案の液晶ディスプレイの光源投射構造は、拡散板の設置を省くことによって、有効に薄型を実現するという利点がある。
【考案を実施するための最良の形態】
【０００８】
図2に示すとおり、下拡散片、プリズム片、偏光片(もしくは上拡散片)から構成された光学膜片30、及び液晶面板40を通して発光体20からの光源が発光する。
【０００９】
そのうち、各発光体20は、均一に納置体60内に設置され、その納置体60には、透光材料と一体となって、関連光学膜片30で貼り付けた透光層61が設置される。その透光層61上には、一体で成形した複数の調光器611が設置される。実施時、図3、図4に示すとおり、調光器611は、透光層61表面の円弧型凹溝(図5に示すV字型、もしくはU字型でもよい)、もしくは円弧型凸条(図6に示すU字型、もしくはV字型でもよい)をレーザー、プレス、切断、噴砂、プリント、エッチング方式によって凹凸点を構成し、これらを通過した光線が屈折、反射作用を起こし、各発光体20からの光源が発光する。
【００１０】
この発光体20は、連続折曲形状で納置体60内に設置される。図6及び図8に示すとおり、調光器611が透光層60の直線型凹溝もしくは凸条に設置されて構成され、同様に光線調節作用を具える。また調光器611の配列は連続固定間隔、もしくは非連続固定間隔でもよい。発光体20の配列密度、調光器611の間隔調整、更に各調光審611を垂直に配列しても光源は均衡に発光する。図7に示すとおり、各発光体20の配列は密集しているため、発光体20の光源はよく光り、故に調光器611は発光体20間に少なく配列するか、光源が比較的よく光る区域にプリント方式によって密集して配列する。更に不透明の調光器は部分的に光線が消えることによって、光源が均一化し、明暗区の差が減少する。更に各発光体20間の距離が大きい場合、図8に示すとおり、調光器611は発光体20から離れるほどに配列が密集するか、もしくは発光体上方に不透明の調光器をプリントすることによって、光源の光線を有効に配分する。
【００１１】
更に、この納置体60は内部に透光材を設置し、図6に示すとおり、納置体60上に調光器611を一体で設置する。そのため、発光体20はポイント式、直桿式、または連続折曲方式で設置しても各発光体20の光の紋を有効に消去する。
【００１２】
本考案の光源投射構造は、拡散板の設置を省くことによって、液晶ディスプレイの構成フレームを簡素化し、有効に液晶ディスプレイの厚みを薄くし、薄型化に対応する。
【図面の簡単な説明】
【００１３】
【図１】公知の液晶ディスプレイの光源投射構造指示図である。
【図２】本考案の光源投射構造指示図である。
【図３】本考案第一実施例の調光器設置の指示図である。
【図４】本考案第一実施例の調光器拡大指示図である。
【図５】本考案第二実施例の調光器構造指示図である。
【図６】本考案第三実施例の調光器構造指示図である。
【図７】本考案第四実施例の調光器構造指示図である。
【図８】本考案の第五実施例の調光審構造指示図である。
【符号の説明】
【００１４】
10  反射カバー
20  発光体
30  光学膜片
40  液晶面板
50  拡散板
60  納置体
61  透光層
611  調光器
62  反射体
【図１】
0003107540.tif 000003
【図２】
0003107540.tif 000004
【図３】
0003107540.tif 000005
【図４】
0003107540.tif 000006
【図５】
0003107540.tif 000007
【図６】
0003107540.tif 000008
【図７】
0003107540.tif 000009
【図８】
0003107540.tif 000010